(57)【要約】【課題】携帯電話機を用い、簡単な処理で、２地点間の距離を測定する。【解決手段】携帯電話機１００をＡ筐体１０１とＢ筐体１０２とに分離可能とする。Ａ筐体１０１に超音波振動子１０３を設け、Ｂ筐体１０２に超音波プローブ１０４を設ける。Ａ筐体１０１とＢ筐体１０２とを分離し、Ａ筐体１０１を所望の第１の地点（Ａ地点）に配置し、Ｂ筐体１０２を所望の第２の地点（Ｂ地点）に配置し、超音波振動子１０３から超音波を発信させて超音波プローブ１０４で受信させ、受信された超音波の音圧に基づいて、Ａ地点とＢ地点との２地点間の距離の測定を行わせる。【選択図】  図２
2011164053.tif 000002
【特許請求の範囲】
【請求項１】
所定の周波数の超音波を発信する超音波発信手段が設けられ測距時に所望の第１の地点に配置される第１の筐体と、
前記第１の筐体に対して分離可能に設けられ測距時に前記第１の筐体から分離されて所望の第２の地点に配置される第２の筐体とを備え、
前記第２の筐体は、
前記第１の地点に配置された前記第１の筐体の超音波発信手段からの超音波を前記第２の地点で受信する超音波受信手段と、
この超音波受信手段が受信した超音波の音圧に基づいて前記第１の地点と前記第２の地点との２地点間の距離を測定する距離測定手段と
を備えることを特徴とする携帯電話機。
【請求項２】
請求項１に記載された携帯電話機において、
前記所定の周波数の超音波の所定の媒体における減衰率と距離との関係が格納された距離データベースを備え、
前記距離測定手段は、
前記超音波発信手段から発信された超音波の音圧に対する前記超音波受信手段が受信した超音波の音圧の減衰率を求め、この減衰率から前記距離データベースを参照して前記２地点間の距離を求める
ことを特徴とする携帯電話機。
【請求項３】
請求項１又は２に記載された携帯電話機において、
前記超音波発信手段は、超音波振動子であり、
前記超音波受信手段は、超音波プローブである
ことを特徴とする携帯電話機。
【請求項４】
請求項１〜３の何れか１項に記載された携帯電話機において、
前記距離測定手段が測定した前記２地点間の距離を表示する表示手段
を備えることを特徴とする携帯電話機。
【請求項５】
請求項１〜４の何れか１項に記載された携帯電話機において、
前記第２の筐体は、前記第１の筐体から分離される前の通常の状態として、前記第１の筐体に折り畳み可能に連結されている
ことを特徴とする携帯電話機。
【請求項６】
携帯電話機の第１の筐体に所定の周波数の超音波を発信する超音波発信手段を設け、
前記第１の筐体に対して分離可能に設けられた第２の筐体に前記超音波発信手段から発信される超音波を受信する超音波受信手段を設け、
前記携帯電話機を前記第１の筐体と前記第２の筐体とに分離し、
分離した前記第１の筐体を所望の第１の地点に配置し、
分離した前記第２の筐体を所望の第２の地点に配置し、
前記超音波発信手段から超音波を発信させて前記超音波受信手段で受信させ、この超音波受信手段で受信される超音波の音圧に基づいて、前記第１の地点と前記第２の地点との２地点間の距離の測定を行わせる
ことを特徴とする距離測定方法。
【発明の詳細な説明】
【技術分野】
【０００１】
この発明は、２地点間の距離を測定する機能を備えた携帯電話機に関するものである。
【背景技術】
【０００２】
近年、携帯電話機の普及は目覚ましく、電卓やカレンダー、時計など日常生活に必要な機能が基本機能として搭載されている。
【先行技術文献】
【特許文献】
【０００３】
【特許文献１】特開２００６−２４２６４０号公報
【特許文献２】特開平０５−２４０９５３号公報
【特許文献２】特開平０６−０９４８２８号公報
【発明の概要】
【発明が解決しようとする課題】
【０００４】
しかしながら、これまでの携帯電話機には、電卓やカレンダー、時計などと同様に基本生活で普遍的に利用される「ものさし」や「メジャー」の代わりとなるような距離を測定する機能を搭載した携帯電話機は存在しなかった。
【０００５】
なお、２地点間の距離を測定する方法として、超音波を用いた距離測定方法が知られている（例えば、特許文献１，２，３参照）。この超音波を用いた距離測定方法では、何れも親機と子機とを用い、送受信の時間差に基づいて、親機と子機との間の距離を測定するようにしている。この場合、親機と子機との間の同期をとったり、各機内のディレイ時間を考慮して補正を行うなどしなければならず、処理が複雑となってしまう。
【０００６】
本発明は、このような課題を解決するためになされたもので、その目的とするところは、簡単な処理で、２地点間の距離を測定することができる携帯電話機を提供することにある。
【課題を解決するための手段】
【０００７】
このような目的を達成するために、本発明に係る携帯電話機は、所定の周波数の超音波を発信する超音波発信手段が設けられ測距時に所望の第１の地点に配置される第１の筐体と、第１の筐体に対して分離可能に設けられ測距時に第１の筐体から分離されて所望の第２の地点に配置される第２の筐体とを設け、第２の筐体に、第１の地点に配置された第１の筐体の超音波発信手段からの超音波を第２の地点で受信する超音波受信手段と、この超音波受信手段が受信した超音波の音圧に基づいて第１の地点と第２の地点との２地点間の距離を測定する距離測定手段とを設けたものである。
【０００８】
本発明では、第１の筐体を所望の第１の地点に配置し、第２の筐体を第１の筐体から分離させて所望の第２の地点に配置し、第１の筐体に設けられている超音波発信手段から超音波を発信させると、この超音波が第２の筐体に設けられている超音波受信手段で受信され、この超音波受信手段で受信される超音波の音圧に基づいて、第１の地点と第２の地点との２地点間の距離の測定が行われる。
【発明の効果】
【０００９】
本発明によれば、超音波の音圧に基づいて２地点間の距離の測定が行わるので、超音波発信手段と超音波受信手段との間で同期をとったり、ディレイ時間を考慮して補正を行うなどする必要がなく、処理が簡単となる。また、携帯電話機に、これまでに存在しなかった距離を測定する機能が搭載されるものとなる。
【図面の簡単な説明】
【００１０】
【図１】本発明に係る携帯電話機の一実施例の要部を示す図である。
【図２】この携帯電話機のＡ筐体とＢ筐体とを分離してＡ地点およびＢ地点に配置してＡ−Ｂ間の距離の測定を行う様子を示す図である。
【発明を実施するための形態】
【００１１】
以下、本発明を実施例に基づき詳細に説明する。図１はこの発明に係る携帯電話機の一実施例の要部を示す図であり、図１（ａ）は本実施例の携帯電話機を表面側から見た視図、図１（ｂ）は本実施例の携帯電話機を裏面側から見た図、図１（ｃ）は本実施例の携帯電話機を第１の筐体（Ａ筐体）と第２の筐体（Ｂ筐体）とに分離した状態を示す図である。
【００１２】
この携帯電話機１００は、折り畳み式の携帯電話機とされ、Ａ筐体１０１とＢ筐体１０２とから構成されている。Ａ筐体１０１とＢ筐体１０２とは、分離される前の通常の状態として、折り畳み可能に連結されている。
【００１３】
また、Ａ筐体１０１には所定の周波数の超音波を発信する超音波発振手段として超音波振動子１０３が設けられており、Ｂ筐体１０２には超音波振動子１０３から発信される所定の周波数の超音波を受信する超音波受信手段として超音波プローブ１０４が設けられている。
【００１４】
また、Ａ筐体１０１にはテンキーなどの操作部１０５が設けられ、Ｂ筐体１０２には液晶表示装置などの表示部１０６が設けられている。また、Ａ筐体１０１とＢ筐体１０２とは分離可能とされており、分離してもそれぞれ１つの筐体で距離計測装置の発信部および受信部として動作することが可能とされている。すなわち、分離させた状態において、Ａ筐体１０１は超音波の発信部として動作し、Ｂ筐体１０２は超音波の受信部として動作する。
【００１５】
また、Ｂ筐体１０２には、超音波振動子１０３が発信する所定の周波数の超音波の所定の媒体（この例では、空気）における減衰率と距離（実測値）との関係が格納された距離データベース１０７が設けられている。なお、この実施例において、Ａ筐体１０１には、発信部としての動作を行わせるための処理部１０８が設けられ、Ｂ筐体１０２には受信部としての動作を行わせるための処理部１０９が設けられているものとする。
【００１６】
この携帯電話機１００を用いて２地点間の距離の測定を行う場合、携帯電話機１００を距離測定モードに設定する。すると、超音波振動子１０３および超音波プローブ１０４が動作を開始する。これにより、超音波振動子１０３から所定の周波数の超音波が発信され、超音波プローブ１０４は所定の周波数の超音波の音圧測定を開始する。
【００１７】
このような状態で、携帯電話機１００をＡ筐体１０１とＢ筐体１０２とに分離し（図１（ｃ）参照）、超音波振動１０３と超音波プローブ１０４とが向き合うように（図２参照）、Ａ筐体１０１を所望の第１の地点（Ａ地点）に配置し、Ｂ筐体１０２を所望の第２の地点（Ｂ地点）に配置する。
【００１８】
これにより、Ａ筐体１０１の超音波振動子１０３から発信された超音波が、Ｂ筐体１０２の超音波プローブ１０４で受信される。超音波プローブ１０４は、受信された超音波の音圧を測定する。この音圧は処理部１０９へ送られる。処理部１０９は、超音波振動子１０３から発信された超音波の音圧に対する超音波プローブ１０４が受信した超音波の音圧の減衰率を求め、この減衰率から距離データベース１０７を参照してＡ地点とＢ地点との２地点間の距離を求め、その求めた距離を測定結果として表示部１０６に表示する。
【００１９】
このようにして、本実施例では、受信した超音波の音圧に基づいて２地点間の距離の測定が行わるので、超音波振動子１０３と超音波プローブ１０４との間で同期をとったり、ディレイ時間を考慮して補正を行うなどする必要がなく、処理が簡単となる。また、携帯電話機１００に、これまでに存在しなかった距離を測定する機能が搭載されるものとなる。
【００２０】
なお、上述した実施例では、携帯電話機１００を折り畳み式の携帯電話機としたが、分離可能な２つ以上の筐体で構成されていればよく、どのような方式の携帯電話機であっても同様にして適用することが可能である。
【００２１】
また、上述した実施例では、所定の媒体を空気としたが、超音波プローブ１０での音圧測定が可能であればよく、所定の媒体は空気に限られるものではない。また、超音波の周波数についても、任意の周波数の超音波を利用することができる。この場合、媒体や超音波の周波数に合わせて、距離データベース１０７に格納する減衰率と距離との関係を適切に定めるようにすればよい。
【００２２】
また、上述した実施例では、減衰率と距離との関係を格納した距離データベース１０７を用いるようにしたが、音圧から距離を求める計算式を予め定めておいて、その計算式に測定した音圧を代入して距離を算出するようにしてもよい。
【産業上の利用可能性】
【００２３】
本発明の携帯電話機は、２地点間の距離を測定する機能を備えた携帯電話機として、日常生活において利用することが可能である。
【符号の説明】
【００２４】
１００…携帯電話機、１０１…Ａ筐体（第１の筐体）、１０２…Ｂ筐体（第２の筐体）、１０３…超音波振動子、１０４…超音波プローブ、１０５…操作部、１０６…表示部、１０７…距離データベース、１０８，１０９…処理部。
【図１】
2011164053.tif 000003
【図２】
2011164053.tif 000004